(57)【要約】【課題】低コストで組立精度の高い１２面体スピーカボックス及び該スピーカボックスを用いた１２面体スピーカを提供する。【解決手段】スピーカボックス１０を、該スピーカボックス１０の中心Ｏから同一距離且つ平行な第１及び第２の平面で分割された形状の第１乃至第３分割ユニット２２、２４、２６が連結した構成とし、更に、前記第１及び第２の平面に挟まれる第２分割ユニット２４を、該第２分割ユニットに存する平行な２本の稜線を通る第３の平面で分割された形状の２つのサブ分割ユニットが連結した構成とし、且つ前記１２枚の５角形パネルのうち前記第１又は第２の平面により分割された形状の各５角形パネル２０における前記スピーカユニット固定孔１４を、分割ユニット毎に配置した構成とする【選択図】図３
2006332998.tif 000002
【特許請求の範囲】
【請求項１】
１２枚の５角形パネルの外形線を稜線として結合した正１２面体形状であって、５角形パネル略中央部にスピーカユニット設置孔及びその周囲に複数のスピーカユニット固定孔を設けたスピーカボックスと、前記スピーカユニット設置孔に設置されたスピーカユニットとを有する１２面体スピーカにおいて、
前記スピーカボックスは、該スピーカボックスの中心から同一距離且つ平行な第１及び第２の平面で分割された形状の第１乃至第３分割ユニットを連結した構成とされ、
更に、前記第１及び第２の平面に挟まれる第２分割ユニットは、該第２分割ユニットに存する平行な２本の稜線を通る第３の平面で分割された形状の２つのサブ分割ユニットを連結した構成とされ、且つ
前記１２枚の５角形パネルのうち前記第１又は第２の平面により分割された形状の各５角形パネルにおける前記スピーカユニット固定孔は、分割ユニット毎に配置されており、スピーカユニットを、前記スピーカユニット固定孔に固定することによってスピーカユニットを介して、第１分割ユニットと第２分割ユニットとが、及び第２分割ユニットと第３分割ユニットとが、それぞれ一体的に連結されている
ことを特徴とする１２面体スピーカ。
【請求項２】
１２枚の５角形パネルの外形線を稜線として結合した正１２面体形状であって、５角形パネル略中央部にスピーカユニット設置孔及びその周囲に複数のスピーカユニット固定孔を設けたスピーカボックスと、前記スピーカユニット設置孔に設置されたスピーカユニットとを有する１２面体スピーカにおいて、
前記スピーカボックスは、該スピーカボックスの中心から同一距離且つ平行な第１及び第２の平面で分割された形状の第１乃至第３分割ユニットを連結した構成とされ、
更に、前記第１及び第２の平面に挟まれる第２分割ユニットは、該第２分割ユニットに存在し、前記スピーカボックスの中心を基準として１２０°位相が異なる点を含んだ稜線を通る平面で分割された形状の３つのサブ分割ユニットを連結した構成とされ、且つ
前記１２枚の５角形パネルのうち前記第１又は第２の平面により分割された形状の各５角形パネルにおける前記スピーカユニット固定孔は、分割ユニット毎に配置されており、スピーカユニットを、前記スピーカユニット固定孔に固定することによってスピーカユニットを介して、第１分割ユニットと第２分割ユニットとが、及び第２分割ユニットと第３分割ユニットとが、それぞれ一体的に連結されている
ことを特徴とする１２面体スピーカ。
【請求項３】
請求項１又は２において、
前記第１の平面は、前記スピーカボックスの６つの頂点を通る平面であり、
前記第２の平面は、他の６つの頂点を通る平面である
ことを特徴とする１２面体スピーカ。
【請求項４】
請求項１又は２において、
前記第１の平面は、１の５角形パネルと平行な平面であって、且つ、前記１の５角形パネルと隣接する５枚の５角形パネルにおけるスピーカユニット設置孔を全て横断する平面であり、
前記第２の平面は、前記１の５角形パネルと平行な他の５角形パネルと平行な平面であって、且つ、前記他の５角形パネルと隣接する５枚の５角形パネルにおけるスピーカユニット設置孔を全て横断する平面である
ことを特徴とする１２面体スピーカ。
【請求項５】
１２枚の５角形パネルの外形線を稜線として結合した正１２面体形状であって、５角形パネル略中央部にスピーカユニット設置孔及びその周囲に複数のスピーカユニット固定孔を設けたスピーカボックスと、前記スピーカユニット設置孔に設置されたスピーカユニットとを有する１２面体スピーカにおいて、
前記スピーカボックスは、該スピーカボックスの中心及び平行な２本の稜線を通る平面で分割された形状の第１及び第２分割ユニットを連結した構成とされ、且つ、
前記１２枚の５角形パネルのうち前記平面により分割された形状の各５角形パネルにおける前記スピーカユニット固定孔は、分割ユニット毎に配置されており、スピーカユニットを、前記スピーカユニット固定孔に固定することによってスピーカユニットを介して、第１分割ユニットと第２分割ユニットとがそれぞれ一体的に連結されている
ことを特徴とする１２面体スピーカ。
【請求項６】
１２枚の５角形パネルの外形線を稜線として結合した正１２面体形状であって、５角形パネル略中央部にスピーカユニット設置孔及びその周囲に複数のスピーカユニット固定孔を設けた、複数のユニットを結合してなるスピーカボックスにおいて、
前記複数のユニットは、前記スピーカボックスの中心から同一距離且つ平行な第１及び第２の平面で分割された形状の第１乃至第３分割ユニットで構成され、
更に、前記第１及び第２の平面に挟まれる第２分割ユニットは、該第２分割ユニットに存する平行な２本の稜線を通る第３の平面で分割された形状の２つのサブ分割ユニットで構成され、且つ、
前記１２枚の５角形パネルのうち前記第１又は第２の平面により分割された形状の各５角形パネルにおける前記スピーカユニット固定孔は、分割ユニット毎に配置されている
ことを特徴とする１２面体スピーカボックス。
【請求項７】
１２枚の５角形パネルの外形線を稜線として結合した正１２面体形状であって、５角形パネル略中央部にスピーカユニット設置孔及びその周囲に複数のスピーカユニット固定孔を設けた、複数のユニットを結合してなるスピーカボックスにおいて、
前記複数のユニットは、前記スピーカボックスの中心から同一距離且つ平行な第１及び第２の平面で分割された形状の第１乃至第３分割ユニットで構成され、
更に、前記第１及び第２の平面に挟まれる第２分割ユニットは、該第２分割ユニットに存在し、前記スピーカボックスの中心を基準として１２０°位相が異なる点を含んだ稜線を通る平面で分割された形状の３つのサブ分割ユニットを連結した構成とされ、且つ、
前記１２枚の５角形パネルのうち前記第１又は第２の平面により分割された形状の各５角形パネルにおける前記スピーカユニット固定孔は、分割ユニット毎に配置されている
ことを特徴とする１２面体スピーカボックス。
【請求項８】
請求項６又は７において、
前記第１の平面は、前記スピーカボックスの６つの頂点を通る平面であり、
前記第２の平面は、他の６つの頂点を通る平面である
ことを特徴とする１２面体スピーカボックス。
【請求項９】
請求項６又は７において、
前記第１の平面は、１の５角形パネルと平行な平面であって、且つ、前記１の５角形パネルと隣接する５枚の５角形パネルにおけるスピーカユニット設置孔を全て横断する平面であり、
前記第２の平面は、前記１の５角形パネルと平行な他の５角形パネルと平行な平面であって、且つ、前記他の５角形パネルと隣接する５枚の５角形パネルにおけるスピーカユニット設置孔を全て横断する平面である
ことを特徴とする１２面体スピーカボックス。
【請求項１０】
１２枚の５角形パネルの外形線を稜線として結合した正１２面体形状であって、５角形パネル略中央部にスピーカユニット設置孔及びその周囲に複数のスピーカユニット固定孔を設けた、複数のユニットを結合してなるスピーカボックスにおいて、
前記スピーカボックスは、該スピーカボックスの中心及び平行な２本の稜線を通る平面で分割された形状の第１及び第２分割ユニットを連結した構成とされ、且つ、
前記１２枚の５角形パネルのうち前記平面により分割された形状の各５角形パネルにおける前記スピーカユニット固定孔は、分割ユニット毎に配置されており、スピーカユニットを、前記スピーカユニット固定孔に固定することによってスピーカユニットを介して、第１分割ユニットと第２分割ユニットとがそれぞれ一体的に連結されている
ことを特徴とする１２面体スピーカボックス。
【発明の詳細な説明】
【技術分野】
【０００１】
本発明は、１２面体スピーカ及び１２面体スピーカ用スピーカボックスに関する。
【背景技術】
【０００２】
従来、図８に示されるような１２個のスピーカユニット３を有した１２面体スピーカが知られている（例えば特許文献１参照）。
【０００３】
このような１２面体スピーカ１は、周囲に向けて均等に配置された１２個のスピーカユニット３によって極めて広い指向特性が得られ、高級な音響機器として利用されている。
【０００４】
【特許文献１】特開２００５−５１６９４号公報
【発明の開示】
【発明が解決しようとする課題】
【０００５】
しかしながら、正１２面体形状のように複雑な形状をアルミニウム等の材料を用いてダイキャストにより一体成形する場合には、製造コストが増大してしまう。即ち、少なくともスピーカボックスの大きさ以上の金型が必要であり、又、スピーカユニット取付用の孔を１２面体に成形するために、スライド型を用いる必要があるからである。
【０００６】
一方で、スピーカボックスの表面を構成する５角形パネルを１２枚用意し、それらを全て溶接して製造することも考えられるものの、溶接必要箇所（距離）が相対的に大となり、熱による歪みの発生量が大きくなる。又、溶接に要するコストも大きく、工程も複雑となる。
【０００７】
本発明は、これらの問題点を解決するべくなされたものであって、低コストで、歪みの少ない１２面体スピーカボックス及び該スピーカボックスを用いた１２面体スピーカを提供するものである。
【課題を解決するための手段】
【０００８】
本発明は、１２枚の５角形パネルの外形線を稜線として結合した正１２面体形状であって、５角形パネル略中央部にスピーカユニット設置孔及びその周囲に複数のスピーカユニット固定孔を設けたスピーカボックスと、前記スピーカユニット設置孔に設置されたスピーカユニットとを有する１２面体スピーカにおいて、前記スピーカボックスを、該スピーカボックスの中心から同一距離且つ平行な第１及び第２の平面で分割された形状の第１乃至第３分割ユニットが連結した構成とし、更に、前記第１及び第２の平面に挟まれる第２分割ユニットを、該第２分割ユニットに存する平行な２本の稜線を通る第３の平面で分割された形状の２つのサブ分割ユニットが連結した構成とし、且つ前記１２枚の５角形パネルのうち前記第１又は第２の平面により分割された形状の各５角形パネルにおける前記スピーカユニット固定孔を、分割ユニット毎に配置し、スピーカユニットを、前記スピーカユニット固定孔に固定することによってスピーカユニットを介して、第１分割ユニットと第２分割ユニットとが、及び第２分割ユニットと第３分割ユニットとが、それぞれ一体的に連結される構成とすることにより、上記課題を解決するものである。
【０００９】
又、本発明は、１２枚の５角形パネルの外形線を稜線として結合した正１２面体形状であって、５角形パネル略中央部にスピーカユニット設置孔及びその周囲に複数のスピーカユニット固定孔を設けたスピーカボックスと、前記スピーカユニット設置孔に設置されたスピーカユニットとを有する１２面体スピーカにおいて、前記スピーカボックスを、該スピーカボックスの中心から同一距離且つ平行な第１及び第２の平面で分割された形状の第１乃至第３分割ユニットを連結した構成とし、更に、前記第１及び第２の平面に挟まれる第２分割ユニットを、該第２分割ユニットに存在し、前記スピーカボックスの中心を基準として１２０°位相が異なる点を含んだ稜線を通る平面で分割された形状の３つのサブ分割ユニットを連結した構成とし、且つ、前記１２枚の５角形パネルのうち前記第１又は第２の平面により分割された形状の各５角形パネルにおける前記スピーカユニット固定孔を分割ユニット毎に配置し、スピーカユニットを、前記スピーカユニット固定孔に固定することによってスピーカユニットを介して、第１分割ユニットと第２分割ユニットとが、及び第２分割ユニットと第３分割ユニットとが、それぞれ一体的に連結される構成とすることにより上記課題を解決するものである。
【００１０】
又、前記第１の平面を、前記スピーカボックスの６つの頂点を通る平面とし、前記第２の平面を、他の６つの頂点を通る平面としてもよい。
【００１１】
又、前記第１の平面を、１の５角形パネルと平行な平面であって、且つ、前記１の５角形パネルと隣接する５枚の５角形パネルにおけるスピーカユニット設置孔を全て横断する平面とし、前記第２の平面を、前記１の５角形パネルと平行な他の５角形パネルと平行な平面であって、且つ、前記他の５角形パネルと隣接する５枚の５角形パネルにおけるスピーカユニット設置孔を全て横断する平面としてもよい。
【００１２】
又、本発明は、１２枚の５角形パネルの外形線を稜線として結合した正１２面体形状であって、５角形パネル略中央部にスピーカユニット設置孔及びその周囲に複数のスピーカユニット固定孔を設けたスピーカボックスと、前記スピーカユニット設置孔に設置されたスピーカユニットとを有する１２面体スピーカにおいて、前記スピーカボックスを、該スピーカボックスの中心及び平行な２本の稜線を通る平面で分割された形状の第１及び第２分割ユニットを連結した構成とし、且つ、前記１２枚の５角形パネルのうち前記平面により分割された形状の各５角形パネルにおける前記スピーカユニット固定孔を、分割ユニット毎に配置し、スピーカユニットを、前記スピーカユニット固定孔に固定することによって、スピーカユニットを介して、第１分割ユニットと第２分割ユニットとをそれぞれ一体的に連結する構成とすることにより上記課題を解決するものである。
【００１３】
又、本発明は、１２枚の５角形パネルの外形線を稜線として結合した正１２面体形状であって、５角形パネル略中央部にスピーカユニット設置孔及びその周囲に複数のスピーカユニット固定孔を設けた、複数のユニットを結合してなるスピーカボックスにおいて、前記複数のユニットを、前記スピーカボックスの中心から同一距離且つ平行な第１及び第２の平面で分割された形状の第１乃至第３分割ユニットで構成し、更に、前記第１及び第２の平面に挟まれる第２分割ユニットを、該第２分割ユニットに存する平行な２本の稜線を通る第３の平面で分割された形状の２つのサブ分割ユニットで構成し、且つ、前記１２枚の５角形パネルのうち前記第１又は第２の平面により分割された形状の各５角形パネルにおける前記スピーカユニット固定孔を、分割ユニット毎に配置することにより上記課題を解決するものである。
【００１４】
又、本発明は、１２枚の５角形パネルの外形線を稜線として結合した正１２面体形状であって、５角形パネル略中央部にスピーカユニット設置孔及びその周囲に複数のスピーカユニット固定孔を設けた、複数のユニットを結合してなるスピーカボックスにおいて、前記複数のユニットを、前記スピーカボックスの中心から同一距離且つ平行な第１及び第２の平面で分割された形状の第１乃至第３分割ユニットで構成し、更に、前記第１及び第２の平面に挟まれる第２分割ユニットを、該第２分割ユニットに存在し、前記スピーカボックスの中心を基準として１２０°位相が異なる点を含んだ稜線を通る平面で分割された形状の３つのサブ分割ユニットを連結した構成とし、且つ、前記１２枚の５角形パネルのうち前記第１又は第２の平面により分割された形状の各５角形パネルにおける前記スピーカユニット固定孔を、分割ユニット毎に配置することにより上記課題を解決するものである。
【００１５】
又、前記第１の平面を、前記スピーカボックスの６つの頂点を通る平面とし、前記第２の平面を、他の６つの頂点を通る平面としてもよい。
【００１６】
又、前記第１の平面を、１の５角形パネルと平行な平面であって、且つ、前記１の５角形パネルと隣接する５枚の５角形パネルにおけるスピーカユニット設置孔を全て横断する平面とし、前記第２の平面を、前記１の５角形パネルと平行な他の５角形パネルと平行な平面であって、且つ、前記他の５角形パネルと隣接する５枚の５角形パネルにおけるスピーカユニット設置孔を全て横断する平面としてもよい。
【００１７】
又、本発明は、１２枚の５角形パネルの外形線を稜線として結合した正１２面体形状であって、５角形パネル略中央部にスピーカユニット設置孔及びその周囲に複数のスピーカユニット固定孔を設けた、複数のユニットを結合してなるスピーカボックスにおいて、前記スピーカボックスを、該スピーカボックスの中心及び平行な２本の稜線を通る平面で分割された形状の第１及び第２分割ユニットを連結した構成とし、且つ、前記１２枚の５角形パネルのうち前記平面により分割された形状の各５角形パネルにおける前記スピーカユニット固定孔を分割ユニット毎に配置し、スピーカユニットを、前記スピーカユニット固定孔に固定することによって、スピーカユニットを介して、第１分割ユニットと第２分割ユニットとをそれぞれ一体的に連結する構成とすることにより上記課題を解決するものである。
【００１８】
尚、頂点とは正１２面体の表面上に存在する２０箇所の凸部のことである。又、稜線とは、正１２面体における５角形の外形を構成し且つ頂点同士を結んだ直線のことである。
【発明の効果】
【００１９】
本発明により、小さな金型でスピーカボックスを成形できるため製造コストを大幅に低減できる。
【００２０】
又、溶接することなく組立てることができるため、溶接の熱による歪みが発生せず、精度の高いスピーカボックス、更には１２面体スピーカを製造することができる。
【００２１】
又、スピーカユニット自体をスピーカボックスを構成する分割ユニットの連結部材として機能させることで、別途専用の連結部材を用意する必要がなく、この点でもコスト上昇を抑えることが可能となる。
【発明を実施するための最良の形態】
【００２２】
添付図面を用いて本発明の実施形態の例を詳細に説明する。
【００２３】
図１、図２に示すように、１２面体スピーカＳＰ２は、スピーカボックス１０と、１２個のスピーカユニット４とを備えた構成とされている。
【００２４】
前記スピーカボックス１０は、１２の正５角形状の５角形パネル２０（２０Ａ〜２０Ｌ）を有する正１２面体の形状であって、図３に示されるように、第１〜第３分割ユニット２２、２４、２６（詳細後述）を連結した構成とされている。
【００２５】
各５角形パネル２０の略中央部には、スピーカユニット４を設置するためのスピーカユニット設置孔１２がそれぞれ設けられている。又、該スピーカユニット設置孔１２の周囲には、設置したスピーカユニット４を固定するための複数のスピーカユニット固定孔１４が設けられている。
【００２６】
尚、スピーカボックス１０には、２０箇所の頂点１６（１６Ａ〜１６Ｌを含む）と、３０本の稜線１８（１８ａ〜１８ｆ及び１８ａ´〜１８ｆ´を含む）が存在している。
【００２７】
又、図３〜図６においては説明及び図面理解容易のため、スピーカユニット設置孔１２及びスピーカユニット固定孔１４は適宜省略して図示している。
【００２８】
前記第１分割ユニット２２、第２分割ユニット２４及び第３分割ユニット２６は、図３、図４においては、６つの頂点１６Ａ〜１６Ｆを通る平面、即ち、それぞれ異なる５角形パネルの３本の稜線１８ｅ、１８ｄ´、１８ｆ´及び３枚の５角形パネル２０Ｄ、２０Ｋ、２０Ｂにおけるスピーカユニット設置孔１２を通る第１の平面IVＡ−IVＡ、並びに他の６つの頂点１６Ｇ〜１６Ｌを通る平面、即ち、５角形パネルの３本の稜線１８ｅ´、１８ｄ、１８ｆ及び３枚の５角形パネル２０Ｃ、２０Ｊ、２０Ｌにおけるスピーカユニット設置孔１２を通る第２の平面IVＢ−IVＢとでスピーカボックス１０を分割した形状とされている。
【００２９】
このとき、第１の平面IVＡ−IVＡと第２の平面IVＢ−IVＢとは平行であり、又、正１２面体の中心Ｏから第１の平面IVＡ−IVＡまでの距離αと、正１２面体の中心Ｏから第２の平面IVＢ−IVＢまでの距離βとは同一の距離である。尚、本実施形態では第１の平面IVＡ−IVＡ及び第２の平面IVＢ−IVＢはスピーカユニット設置孔１２を横断しているが、必ずしも横断している必要はない。
【００３０】
即ち、仮にスピーカユニット設置孔１２の径が小さく、第１又は第２の平面が設置孔１２を横断していなくとも、各５角形パネルにおけるスピーカユニット固定孔１４を結ぶ仮想円を横断している限り、スピーカユニット４自体が、連結部材として機能することには変わりないからである。
【００３１】
更に第２分割ユニット２４は、該第２分割ユニット２４に存する平行ないずれか２つの稜線１８を通る第３の平面により２つに分割された形状とされ、２つのサブ分割ユニットとされている。
【００３２】
第２分割ユニット２４の分割方法は種々のパターンが考えられる。
【００３３】
図４で、スピーカボックス１０における稜線１８に該当するのは、稜線１８ａ〜１８ｆ及び稜線１８ａ’〜１８ｆ’である。他の線は前記第１の平面IVＡ−IVＡ又は第２の平面IVＢ−IVＢにより分割された形状のユニットとなることで現れる線であり、本来のスピーカボックス１０の稜線１８ではない。
【００３４】
前記第２分割ユニット２４を分割する第３の平面は、これらの稜線１８ａ〜１８ｆ及び１８ａ’〜１８ｆ’の平行ないずれか２つを通る平面であるため、その種類は、１８ａ及び１８ａ’を通る平面、１８ｂ及び１８ｂ’を通る平面・・・１８ｆ及び１８ｆ’を通る平面の６種類となる。
【００３５】
前述した方法で分割すると、第１分割ユニット２２と第３分割ユニット２６は同一の形状となり、更に第２分割ユニット２４を構成する２つのサブ分割ユニット同士は同一の形状となる。そのため合計２種類の金型を用意することでスピーカボックス全体を製造することができる。
【００３６】
なお、図示はしないが、第２分割ユニット２４を、スピーカボックス１０の中心Ｏを基準として、１２０°位相が異なる点を含んだ稜線（例えば図４における１８ａ、１８ｃ、１８ｂ´）を通る平面で分割された形状の３つのサブ分割ユニットで構成してもよく、この場合もこの３つのサブ分割ユニット同士は同一の形状となる。
【００３７】
尚、図示せぬスピーカ用スタンド等を取り付けるための部位が必要な場合、例えば、第１分割ユニット２２にスタンド取付部位等を設ける場合等には第１分割ユニット２２と第３分割ユニット２６とを同一の金型で製作することはできず、別の金型を用意する必要があるが、金型のうち、可動金型と固定金型の一方は共通とすることができる。
【００３８】
次に、スピーカユニット固定孔１４について説明する。
【００３９】
スピーカユニット固定孔１４は主として図示せぬボルトが螺合するためのタップであるが、必ずしもこれに限らず、スピーカユニット４の固定手段の一部を構成するものであればよい。
【００４０】
スピーカユニット固定孔１４は、各５角形パネル２０に少なくとも２以上設けるのが望ましい。又、５角形パネル２０が前記第１の平面IVＡ−IVＡ又は第２の平面IVＢ−IVＢにより分割された形状とされている場合には、分割後のそれぞれの５角形パネルに２以上のスピーカユニット固定孔１４を設けるのが望ましい（図７（Ａ）参照）。これは後述するスピーカユニット４の取付けにより、各分割ユニット２２、２４、２６を強固に固定（拘止）するためである。なお、固定孔１４は複数である限り、必要に応じて適切な数だけ設けてもよい。勿論、必要となる固定強度に応じて、スピーカユニット固定孔１４が分割後の５角形パネルに１つしか設けられていなくともよい。
【００４１】
又、前記各スピーカユニット設置孔１２にはそれぞれスピーカユニット４が設置されている。ここでは前記スピーカユニット固定孔１４を利用して、図示せぬボルト等により全てのスピーカユニット４が固定されている。即ち、前記第１の平面IVＡ−IVＡ又は第２の平面IVＢ−IVＢにより分割されている形状の５角形パネル２０においては、前記固定孔１４を利用してスピーカユニット４自体が固定されることで、同時に各分割ユニット２２、２４、２６を強固に固定（拘止）している（図７（Ｃ）参照）。即ち、スピーカユニット４自体が一種の連結部材として機能している。
【００４２】
このようにスピーカボックスを複数の分割ユニットとして用意することで、小さな金型で各分割ユニットを製造することが可能となる。これは、成形する際の金型のストローク量が小さいことを意味し、成形装置全体のコンパクト性にも寄与し得る。
【００４３】
又、スピーカボックス１０を構成する各ユニット同士を溶接することなく組み立てることができるため、溶接による歪の発生を抑えることができる。但し、本発明は各ユニット同士の溶接を完全に否定する趣旨のものではない。
【００４４】
なお、スピーカボックスの素材はアルミニウムであることを前提として説明したが、必ずしもこれに限られるものではなく、例えば、鉄材やマグネシウム等の金属類をはじめ、樹脂類等を使用することも可能である。鉄材によれば特に堅牢性向上に寄与し、マグネシウムによれば特に堅牢性及び軽量化に寄与し、樹脂によれば特に軽量化及びコスト低減に寄与するという特徴及び利点がある。製造コストを考慮すれば、アルミニウム等のダイキャスト成形やサンドキャスト成形、又は樹脂の射出成形、ブロー成形、インジェクション成形などが好ましい。
【００４５】
又、スピーカボックス１０の各分割ユニットへの分割方法はこれに限られるものではなく、図５及び図６に示す方法も考えられる。
【００４６】
ここでは、１の５角形パネル２０Ａと平行、且つ、該５角形パネル２０Ａと隣接する５枚の５角形パネル２０Ｂ、２０Ｃ、２０Ｄ、２０E、２０Ｆにおける５つのスピーカユニット設置孔１２を全て横断する平面を第１の平面VIＡ−VIＡとし、前記１の５角形パネル２０Ａと平行な他の５角形パネル２０Ｇと平行な平面であって、且つ、前記他の５角形パネル２０Ｇと隣接する５枚の５角形パネル２０Ｈ、２０Ｉ、２０Ｊ、２０Ｋ、２０Ｌにおける５つのスピーカユニット設置孔１２を全て横断する平面を第２の平面VIＢ−VIＢとしている。
【００４７】
又、第２分割ユニット３４のサブ分割ユニットへの分割方法は、前述した第２分割ユニット２４と基本的に同一であるが、ここでは稜線１８ａ及び１８ａ’を通る平面、１８ｂ及び１８ｂ’を通る平面、１８ｃ及び１８ｃ’を通る平面、１８ｄ及び１８ｄ’を通る平面、１８ｆ及び１８ｆ’を通る平面、１８ｇ及び１８ｇ’を通る平面、１８ｈ及び１８ｈ’を通る平面、１８ｉ及び１８ｉ’を通る平面、１８ｊ及び１８ｊ’を通る平面、１８ｋ及び１８ｋ’を通る平面の１０種類の第３の平面が考えられる。なお、ここでも前述したように３つのサブ分割ユニットとして構成してもよい。
【００４８】
このとき、第１の平面VIＡ−VIＡと第２の平面VIＢ−VIＢとは平行であり、更に正１２面体の中心Ｏから第１の平面VIＡ−VIＡまでの距離γと、正１２面体の中心Ｏから第２の平面VIＢ−VIＢまでの距離δとは同一であるため、第１分割ユニット３２と第３分割ユニット３６とは同一の形状となり、更に第２分割ユニット３４を構成する各サブ分割ユニット同士は同一の形状となる。この方法で分割した場合でも第１分割ユニット３２と第３分割ユニット３６は同一の形状となり、更に第２分割ユニット３４を構成する２つのサブ分割ユニット同士（又は、３つのサブ分割ユニット同士）は同一の形状となる。そのため合計２種類の金型を用意することでスピーカボックス全体を製造することができる。
【００４９】
尚、図示せぬスピーカ用スタンド等を取り付けるための部位が必要な場合、例えば、第１分割ユニット３２にスタンド取付部位等を設ける場合等には第１分割ユニット３２と第３分割ユニット３６とを同一の金型で製作することはできず、別の金型を用意する必要があるが、金型のうち、可動金型と固定金型の一方は共通とすることができる。
【００５０】
又、図示はしないが、スピーカボックス１０全体を、スピーカボックス１０の中心Ｏ及び並行な２本の稜線（例えば１８ａ、１８ａ’）を通る平面で分割した形状の第１及び第２分割ユニットを連結した構成としてもよい。
【００５１】
この場合は、スピーカボックス１０が２つのユニットで構成され、又、第１、第２分割ユニット同士が同一の形状となるため、１種類の金型を用意することでスピーカボックス全体を製造することができる。
【００５２】
又、前述の説明では１２面体の１２の面全てにスピーカユニットが設置されていることを前提に説明したが、必ずしもこれに限られるものではない。例えば、１の面を底面として床に設置する場合や、壁の付近に設置する場合等には、一部の面にはスピーカユニットの代わりに、塞ぎプレート等を設置してもよい。
【産業上の利用可能性】
【００５３】
１２面体スピーカのみならず、広く他の多面体スピーカにも利用することができる。
【図面の簡単な説明】
【００５４】
【図１】１２面体スピーカの全体図
【図２】スピーカボックス単体の全体図
【図３】スピーカボックスの分割ユニット分割例を示す図
【図４】図３の方法で分割された形状のスピーカボックスの第２分割ユニット（中間部位）の分割例を示す図
【図５】スピーカボックスの他のサブユニット分割例を示す図
【図６】図５の方法で分割された形状のスピーカボックスの第２分割ユニット（中間部位）の分割例を示す図
【図７】スピーカユニット固定孔の設置例
【図８】公知の１２面体スピーカ
【符号の説明】
【００５５】
ＳＰ２…１２面体スピーカ
４…スピーカユニット
１０…スピーカボックス
１２…スピーカユニット設置孔
１４…スピーカユニット固定孔
１６…頂点
１８…稜線
２０…５角形パネル
２２、３２…第１分割ユニット
２４、３４…第２分割ユニット
２６、３６…第３分割ユニット
【図１】
2006332998.tif 000003
【図２】
2006332998.tif 000004
【図３】
2006332998.tif 000005
【図４】
2006332998.tif 000006
【図５】
2006332998.tif 000007
【図６】
2006332998.tif 000008
【図７】
2006332998.tif 000009
【図８】
2006332998.tif 000010